(57)【要約】【課題】  地震にて床面と共に床レールが揺れ動いても、パネルは巾木から外れ落ちて転倒しないようにしたパネル支持構造の提供。【解決手段】  アジャスター装置４を構成するアジャスター台６の脚１０は、その先端又は先端部を上記床レール２の側板１３に当接し、アジャスター軸７にはアジャスタープレート８を螺合し、アジャスター台６の上板１１にはアジャスター軸７の外径より大きな穴を貫通すると共に上記アジャスタープレート８を載置している。【選択図】    図１
2016084595.tif 000002
【特許請求の範囲】
【請求項１】
間仕切り装置の下端に設けたアジャスター装置で高さの調整を行う間仕切り装置のパネル支持構造において、上記アジャスター装置を構成するアジャスター軸は地震が発生した際の横揺れに対してフリーな状態とし、床面の横揺れがパネル側へ伝達することを抑制するようにしたことを特徴とする間仕切り装置の支持構造。
【請求項２】
アジャスタープレートに上記アジャスター軸を螺合し、アジャスター装置のアジャスター台上板にはアジャスター軸の外径より大きな穴を貫通すると共に、上記アジャスタープレートをアジャスター台上板に載置した請求項１記載の間仕切り装置のパネル支持構造。
【請求項３】
上記アジャスター台の脚を床レールの側板に当接しないで配置した請求項１、又は請求項２記載の間仕切り装置のパネル支持構造。
【請求項４】
上記パネル支持構造において、アジャスター装置を構成するアジャスター軸の下部を床レール底面に当接して起立し、あるいはアジャスター軸の上部を巾木の平坦面に当接して起立した請求項１記載の間仕切り装置のパネル支持構造。
【発明の詳細な説明】
【技術分野】
【０００１】
本発明は建物の大きな空間を仕切る為に使用される間仕切り装置において、地震の揺れに対して転倒しないようにするパネル支持構造に関するものである。
【背景技術】
【０００２】
間仕切り装置は建物の大きな空間を適当な広さ（大きさ）に仕切ることが出来る。間仕切り装置の形態にも色々あるが、最も基本的な構造は、床レールを床面に固定し、この床レールにアジャスター装置を配置すると共に巾木を支持し、そして該巾木にはパネルを起立し、パネル上端は天井に取付けた天井レールに嵌っている。
【０００３】
図５は間仕切り装置の正面を示す概略図であり、複数枚のパネル（イ）、（イ）・・・は巾木（ニ）に載り、上端は天井レール（ヘ）に嵌っている。そして、各パネル（イ）、（イ）・・・間にはスタッド（ホ）、（ホ）・・・が介在している。図６は間仕切り装置を示す横断面図と縦断面図を表している。同図に示すように間仕切り装置は床レール（ロ）の所々に配置されているアジャスター装置（ハ）、（ハ）・・によって巾木（ニ）が支えられ、該巾木（ニ）にパネル（イ）が載って支持されている。パネル（イ）は垂直に起立するスタッド（ホ）に側端が固定され、そして上端は天井に取付けられている天井レール（ヘ）と連結している。
【０００４】
ところで、巾木（ニ）に載ったパネル（イ）が天井レール（ヘ）に達するように、適当な高さに支持しなくてはならず、その為に上記アジャスター装置（ハ）が用いられている。このアジャスター装置（ハ）は床レール（ロ）内に配置されることで拘束され、左右方向に動くことは出来ない。
【０００５】
したがって、アジャスター装置（ハ）のネジ頭（ヌ）に巾木（ニ）を載置し、該巾木（ニ）の上に上記図６に示しているようにパネル（イ）が載っている。ところで、大きな地震が発生して床が揺れる場合、床に固定されている床レール（ロ）も同時に揺れ動く。そして、床レール（ロ）に拘束されているアジャスター装置（ハ）も揺れ動き、その結果、アジャスター装置（ハ）に備わっているアジャスター軸（リ）及び該アジャスター軸（リ）によって支持されている巾木（ニ）、さらには巾木（ニ）に載って支持されているパネル（イ）も揺れる。
【０００６】
したがって、巾木（ニ）に載って支持されているパネル（イ）の下端は揺れ動く巾木（ニ）から外れ落ち、パネル上端は天井レール（ヘ）から外れて転倒することになる。
ところで、地震に対する対策は、建物は言うまでもなく建物の内部空間を仕切る間仕切り装置の場合も、地震の揺れに対して倒壊しないような対策が施されている。例えば、特開２０１３−１８１２８５号に係る「間仕切り壁の耐震構造」は、地震等の揺れによる間仕切り壁の脱落や破損を防ぐ、間仕切り壁の耐震構造である。
【０００７】
すなわち、天井パネルを保持する野縁部材の下部に取り付けられた間仕切り壁の耐震構造であって、野縁部材の間仕切り壁が取り付けられた箇所の上部に配設された取付具と、取付具と天井スラブの取付金物とを連結する耐震補強材とを備え、間仕切り壁が野縁部材を介して天井側の天井スラブに耐震補強材によって連結されることで、地震等による天井下地材の揺れを防いで、野縁部材の下部に取り付けられた間仕切り壁の揺れを防ぎ、間仕切り壁の脱落や破損を防ぐことができるように成っている。
【０００８】
特開２０１３−４０４３８号に係る「耐震間仕切り構造、その構造に用いるライトゲージ取付金具および振れ止め押え金具」は、耐震性に優れ、強い地震が起きた場合でも石膏ボード等の壁材が外れにくく、かつ施工が容易な鋼製下地による耐震間仕切り構造であり、耐震間仕切り構造に有用なライトゲージ取付金具および振れ止め押え金具である。
【特許文献１】特開２０１３−１８１２８５号に係る「間仕切り壁の耐震構造」
【特許文献２】特開２０１３−４０４３８号に係る「耐震間仕切り構造、その構造に用いるライトゲージ取付金具および振れ止め押え金具」
【発明の開示】
【発明が解決しようとする課題】
【０００９】
このように、従来の間仕切り装置は大きな地震の揺れに対して弱く、転倒する虞があり、その為に耐震構造とした間仕切り装置も知られているが、その耐震構造は複雑であり施工費が高くつく。本発明が解決しようとする課題はこの問題点であり、簡単な構造でもって構成し、地震で床が揺れ動いてもパネルがズレたり転倒・脱落することがないようにした間仕切り装置のパネル支持構造を提供する。
【課題を解決するための手段】
【００１０】
本発明に係る間仕切り装置におけるパネル支持構造は、床の揺れがパネルに伝わり難い構造としている。ところで、基本的な構造は従来と同じであり、建物の床面には床レールが固定され、この床レール内にはアジャスター装置が配置され、そしてアジャスター装置のアジャスター軸によってパネルは適度な高さに支持されている。
【００１１】
床レール内に配置されているアジャスター装置は、該床レールの長手方向の揺れに対しては拘束されない為に、該アジャスター装置は床レールと共に揺れることはない。そして、床レールの横揺れに対してアジャスター軸がそのまま揺れないように構成している。具体的な構造は限定しないが、基本的には床面の横揺れがアジャスター軸に直接伝わらない構造としている。
【発明の効果】
【００１２】
本発明に係るパネル支持構造では、アジャスター装置のアジャスター軸が床面の横揺れに対して追従しない構造としている。従って、地震が発生して床に固定された床レールが横揺れしても、アジャスター軸は同じように揺れない為に該アジャスター軸によって支えているパネルの横揺れを抑制することが出来る。ひいては、パネルがズレたり転倒・脱落したり、間仕切り装置が倒壊することを防止することが出来る。
【００１３】
本発明はパネルを支持する為のアジャスター装置を改良しただけの簡単な構造であり、その為に製作費も安くなり、地震の揺れに対して大きな効果を発揮することが出来る。しかも、既存の間仕切り装置に対しても、アジャスター装置を取り換えることで対処することが可能となる。
【図面の簡単な説明】
【００１４】
【図１】本発明に係るパネル支持構造を示す実施例。
【図２】本発明に係るパネル支持構造を示す他の実施例。
【図３】本発明に係るパネル支持構造を示す他の実施例。
【図４】本発明に係るパネル支持構造を示す他の実施例。
【図５】一般的な間仕切り装置の正面概略図。
【図６】一般的な間仕切り装置の横断面図と縦断面図。
【発明を実施するための形態】
【００１５】
図１は本発明に係る間仕切り装置のパネル支持構造を示す実施例であり、同図の１はパネル、２は床レール、３は巾木、４はアジャスター装置をそれぞれ表している。基本的な構造は前記図６に示している従来のパネル支持構造と共通し、床レール２は床面５に固定され、この床レール２の内部に上記アジャスター装置４が配置され、該アジャスター装置４にて支持された巾木３にパネル１が載置されている。
【００１６】
ところで、上記アジャスター装置４はアジャスター台６、アジャスター軸７、アジャスタープレート８、及び支持プレート９で構成し、アジャスター台６は２本の脚１０，１０を有して台形を成し、床レール２の内部に配置されている。アジャスター軸７にはアジャスタープレート８が螺合し、アジャスタープレート８はアジャスター台６に載って該アジャスター軸７を支持している。
すなわち、アジャスター台６の上板１１にはアジャスター軸７の外径より大きな穴が貫通し、その為に、アジャスタープレート８に設けたネジ穴に螺合したアジャスター軸７は該アジャスタープレート８を介してアジャスター台６に起立している。
【００１７】
そして、支持プレート９もアジャスター軸７に螺合し、該支持プレート９はアジャスター軸上端の頭部１２に密着している。そこで、巾木３は床レール２に被さり、アジャスター装置４の支持プレート９に載って適当な高さに支えられている。
ところで、上記アジャスター装置４のアジャスター台６は台形を成して両脚１０，１０は傾斜し、その為に、床レール２の底部コーナーに両脚先端が当たって配置され、脚１０，１０と床レール２の側板１３，１３との間には空間１４，１４が形成されている。
【００１８】
そこで、大きな地震が発生して床面５が揺れるならば、該床面５に固定されている床レール２も追従して同時に揺れ動くことになる。この際、床レール２に配置されているアジャスター装置４は、そのアジャスター台６が台形でその両脚１０，１０と床レール２の側板１３，１３との間に空間１４，１４が介在している為に、該脚１０，１０が撓み変形する。そして、アジャスター台６の上板１１に載っているアジャスタープレート８は横滑りを行い、アジャスター軸７の横揺れが抑制される。したがって、巾木３に載って起立しているパネル１の下端が該巾木３から外れ落ちて転倒することはない。
【００１９】
図２は本発明に係る他の実施例であり、このアジャスター装置４を構成するアジャスター台１５は前記実施例のような脚を有していない。該アジャスター台１５は床レール２の両側板上端に取付けられており、該アジャスター台１５にはアジャスター軸７が螺合して垂直に起立し、そしてアジャスター軸７の頭部１６に巾木が載っている。
【００２０】
ところで、地震が発生して床面が横揺れする場合、床面に固定している床レール２も横揺れする。そして、床レール２の両側板上端に取付けられているアジャスター台１５も同時に横揺れするが、アジャスター軸７の頭部１６に載って支持されている巾木１７の横揺れは抑えられる。すなわち、頭部１６の上面は平坦面を成し、巾木１７の支持面１８も平坦面であり、アジャスター軸７の横揺れは巾木１７を揺らすことなく支持している。
【００２１】
図３は本発明に係る別の実施例であり、このアジャスター装置４はアジャスター台１９の上板にアジャスタープレート８を備えていない。したがって、アジャスター軸７はアジャスター台１９の上板２０に設けたネジ穴に直接螺合し、アジャスター軸７とアジャスター台１９は互いに連結した構造と成っている。しかし、該アジャスター台１９は床レール２の両側板との間に空間２１，２１を設け、床レール２が横揺れしてもアジャスター台１９がダイレクトに横揺れすることはなく、アジャスター軸７の横揺れが抑制される。
【００２２】
図４は本発明のアジャスター装置を示すさらなる別の実施例である。同図の２２はスタッドを表し、スタッド下端に設けたネジ穴にアジャスター軸７が螺合している。アジャスター軸７の下端は床レール２の底面に接して起立し、上記スタッド２２を適当な高さに支持している。該スタッド２２の両面にはパネル１，１が取付けられている。
【００２３】
ところで、地震が発生して床面が揺れた場合、該床面に固定している床レール２も同時に横揺れする。しかし、床レール２の底面に接して起立しているアジャスター軸７は床レール２と共に横揺れすることはなく、該アジャスター軸７に支持されているスタッド２２の横揺れは抑制され、その結果、スタッド２２に取付けられているパネル１，１の転倒が防止される。
【符号の説明】
【００２４】
１   パネル
２   床レール
３   巾木
４   アジャスター装置
５   床面
６   アジャスター台
７   アジャスター軸
８   アジャスタープレート
９   支持プレート
10   脚
11   上板
12   頭部
13   側板
14   空間
15   アジャスター台
16   頭部
17   巾木
18   支持面
19   アジャスター台
20   上板
21   空間
22   スタッド
【図１】
2016084595.tif 000003
【図２】
2016084595.tif 000004
【図３】
2016084595.tif 000005
【図４】
2016084595.tif 000006
【図５】
2016084595.tif 000007
【図６】
2016084595.tif 000008